(57)【要約】      （修正有）【課題】プリント回路基板を取付対象製品の所定箇所に取り付ける場合、プリント回路基板の取付位置に自由度を持たせることができ、かつプリント回路基板を共通化することも可能になり、さらにプリント回路基板の製造コストの上昇を抑え、部品管理の煩雑化を抑制可能なプリント回路基板を提供する。【解決手段】ノートパソコンＷに内蔵されるべき所要の電子回路がプリントされ、前記ノートパソコンの第２筐体３１の底部内面３１ｍの所定箇所に位置決め・固定して用いられるプリント回路基板４０であって、前記電子回路がプリントされた基板本体部４１から張り出した張り出し部４２，４３に、前記第２筐体の底部内面側に設けられた柱状のピン部材３５とそれぞれ係合し得る複数の貫通孔が括れ部を介して連接されて成る連接孔部４５が設けられている、ことを特徴とする。【選択図】図７
2011082321.tif 000002
【特許請求の範囲】
【請求項１】
取付対象製品に内蔵されるべき所要の電子回路がプリントされ、前記取付対象製品の所定箇所に位置決め・固定して用いられるプリント回路基板であって、
前記電子回路がプリントされた基板本体から張り出した張り出し部に、前記取付対象製品側に設けられた柱状のピン部材とそれぞれ係合し得る複数の貫通孔が括れ部を介して連接されて成る連接孔部が設けられている、ことを特徴とするプリント回路基板。
【請求項２】
前記連接孔部の各貫通孔の内径は、前記ピン部材の外径よりも所定量だけ小さく設定されている、ことを特徴とする請求項１記載のプリント回路基板。
【発明の詳細な説明】
【技術分野】
【０００１】
本発明は、プリント回路基板、例えば、ノート型パーソナルコンピュータ（以下、適宜、「ノートパソコン」と略称する）などの電子装置類に内蔵されるべき所要の電子回路を基板上にプリントして構成されるプリント回路基板に関する。
【背景技術】
【０００２】
周知のように、例えばノートパソコン等の電子装置類には、それぞれ所要の電子回路を実装した種々の回路基板が装着されており、今日では、これら回路基板が、所要の電子回路を基板上にプリントしたプリント回路基板として構成される場合が多々ある。
かかるプリント回路基板を取付対象製品の所定箇所に位置決め・固定する方法としては、テープを貼り付けて固定する方法が多用されている。
【０００３】
しかしながら、この方法では、プリント回路基板を取付対象製品の所定箇所に位置決めした状態で、注意深くテープを貼り付ける必要があり、このテープ貼付作業が煩わしくて手間が掛かり、しかも、副資材としてのテープにコストが掛かるという問題もある。更に、製品によっては、テープを適用することによる重量増加も問題となる場合もある。
【０００４】
このような諸問題に関連して、例えば、特許文献１には、取付対象製品の所定箇所には突起を設ける一方、プリント回路基板の固定部に穴を設けておき、該穴を前記突起に係合させることによってプリント回路基板を取付対象製品の所定箇所に位置決めし、更に、この位置決め状態で、穴から突出した突起の先端部を熱溶着することで、プリント回路基板を取付対象製品の所定箇所に固定するようにした取付方法が開示されている。かかる方法を採用することにより、クリップや補強用シートを用いる場合に比して、組立工数および部品点数を削減し、加工コスト及び部品コストの低減を図ることができるとされている。
【先行技術文献】
【特許文献】
【０００５】
【特許文献１】特開２００２−１５１８６７号公報
【発明の概要】
【発明が解決しようとする課題】
【０００６】
ところで、プリント回路基板を取付対象製品の所定箇所に取り付ける場合、例えば、同種の製品でも型式の違いなどによっては、プリント回路基板の取付位置が若干異なる場合が生じ得る。このような場合でも、プリント回路基板の取付位置に自由度を持たせることができれば、プリント回路基板を共通化することも可能になり、プリント回路基板の製造コストの上昇を抑え、部品管理の煩雑化を抑制する上で、非常に有利である。
【０００７】
また、プリント回路基板及び／又は取付対象製品の製造時の不可避的な寸法誤差によって、同一製品でもプリント回路基板の取付位置に若干の誤差（ズレ）が生じ得る。このような場合でも、プリント回路基板の取付位置に自由度を持たせることができれば、かかる誤差（ズレ）を吸収して当該プリント回路基板をそのまま用いることも可能になり、不良発生扱いによる製造コストの上昇を抑制する上で、非常に有利である。
【０００８】
しかしながら、前記従来の方法では、プリント回路基板の固定部に設けられる固定用の穴は１個のみであるので、プリント回路基板の取付位置には自由度が一切なく、プリント回路基板の取付位置が若干異なる場合には、それに応じて固定用の穴の位置を若干異ならせたプリント回路基板を別途に用意する必要があり、部品（プリント回路基板）コストの上昇を招き、部品管理も煩雑化する、といった問題がある。また、プリント回路基板の取付位置に若干の製造誤差（ズレ）が生じた場合にも、これに対応できず、プリント回路基板および取付対象製品の少なくとも何れかを不良品扱いにして交換しなければならず、部品製造コストおよび組立コストの上昇を招くという問題があった。
【０００９】
更に、前記従来の方法では、プリント回路基板を取付対象製品の所定箇所に固定するためには、プリント回路基板の固定用の穴から突出した突起の先端部を熱溶着する必要があるので、プリント回路基板の位置決め作業とは別途に固定作業にも工数が掛かる、という問題もある。
【００１０】
そこで、本発明は、取付対象製品の所定箇所への取付位置に自由度を持たせることができるプリント回路基板を提供することを基本的な目的とし、併せて、プリント回路基板の固定作業を簡略化できるようにすることを目的としてなされたものである。
【課題を解決するための手段】
【００１１】
このため、本発明に係るプリント回路基板は、取付対象製品に内蔵されるべき所要の電子回路がプリントされ、前記取付対象製品の所定箇所に位置決め・固定して用いられるプリント回路基板であって、前記電子回路がプリントされた基板本体から張り出した張り出し部に、前記取付対象製品側に設けられた柱状のピン部材とそれぞれ係合し得る複数の貫通孔が括れ部を介して連接されて成る連接孔部が設けられている、ことを特徴としたものである。
【発明の効果】
【００１２】
本発明によれば、前記プリント回路基板の張り出し部には、取付対象製品側に設けられた柱状のピン部材と係合し得る複数の貫通孔が括れ部を介して連接されて成る連接孔部が設けられているので、この連接孔部の範囲内で（つまり、連接孔部の複数の貫通孔の何れかを選択できる範囲内で）、プリント回路基板の取付位置を調整することができる。すなわち、プリント回路基板の取付対象製品の所定箇所への取付位置に或る程度の自由度を持たせることができ、プリント回路基板の取付位置が若干異なる場合でも、プリント回路基板の共通化を図ることが可能になる。その結果、プリント基板の製造コストの上昇を抑え、部品管理の煩雑化を抑制する上で、非常に有利となる。また、プリント回路基板の取付位置に若干の製造誤差（ズレ）が生じた場合でも、かかる誤差（ズレ）を吸収して当該プリント基板をそのまま用いることも可能になり、不良発生扱いによる製造コストの上昇を抑制する上で、非常に有利となる。
【図面の簡単な説明】
【００１３】
【図１】実施形態に係るノートパソコンの使用可能状態を示す全体斜視図
【図２】前記ノートパソコンの不使用状態を示す全体斜視図
【図３】前記ノートパソコンの不使用状態における平面図
【図４】前記ノートパソコンの不使用状態における側面図
【図５】前記ノートパソコンの第２筐体の内部構造を示す平面図
【図６】前記第２筐体に取り付けられたプリント回路基板を拡大して示す平面図
【図７】前記プリント回路基板を拡大して示す斜視図
【図８】前記プリント回路基板の固定部を拡大して示す平面図
【発明を実施するための形態】
【００１４】
本発明のプリント回路基板は、上述の構成を基本として、以下のような態様をとることができる。すなわち、前記構成のプリント回路基板において、前記連接孔部の各貫通孔の内径は、前記ピン部材の外径よりも所定量だけ小さく設定されている、ことが好ましい。
【００１５】
この場合には、ピン部材を前記連接孔部の貫通孔の何れかに係合させて位置決めを行った後、引き続いてピン部材を当該貫通孔に押し込んで嵌合させることにより、所定量の締め代をもって連接孔部がピン部材に固定される。すなわち、プリント回路基板が取付対象製品の所定箇所への位置決めと固定とを一連の作業として行うことができ、従来に比してプリント回路基板の固定作業を大幅に簡略化することができる。
【００１６】
（実施の形態）
以下、本発明の実施形態について、所謂ノートパソコンに組み込まれるプリント回路基板を例にとって、添付図面を参照しながら詳細に説明する。
尚、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した発明の理解を容易にするためであって、それらの用語の意味によって本発明は限定的に解釈されるべきものではない。
【００１７】
図１及び図２は、本実施形態に係るノートパソコンの使用可能状態（開状態）および不使用状態（閉状態）をそれぞれ示す斜視図である。また、図３及び図４は、前記ノートパソコンの不使用状態における平面図および側面図である。
【００１８】
これらの図に示すように、本実施形態に係る電子機器としてのノートパソコンＷは、例えば液晶式とされた表示画面１２を有する表示部１０と、該表示部１０に入力される表示信号を生成し得る操作制御部３０とを備えている。該操作制御部３０は、キーボード等の入力装置３２、該入力装置３２による入力操作等に基づいて表示部へ出力する表示信号を生成する信号処理回路や中央演算処理装置（所謂ＣＰＵ）、更にはそれらの周辺部品（何れも不図示）などを含むものである。また、ユーザ（使用者）がノートパソコンＷを操作する操作状態において当該ユーザから見てキーボード３２の手前側には、タッチパッド３３が設けられており、ユーザはこのタッチパッド３３を上下左右になぞるだけで、カーソルの移動や表示画面１２のスクロール等を行うことができる。
【００１９】
前記表示部１０は、表示部側の筐体１１（第１筐体）に格納されてその周縁および背面が覆われており、一方、制御操作部３０は操作制御部側の筐体３１（第２筐体）に格納され、両筐体１１，３１は、ヒンジ機構２０により開閉可能に結合されている。
より詳しく説明すれば、第１筐体１１および第２筐体３１は共に、平面視における全体としての基本形状が略長方形状に形成されており、その一辺１１ｒ，３１ｒ側（つまり、ユーザがノートパソコンＷを操作する操作状態における当該ノートパソコンＷのユーザから見た後辺側）どうしをヒンジ機構２０を介して結合することにより、ヒンジ軸２１（図４参照）を中心にして両筐体が相対的に開閉動作を行えるようになっている。尚、本明細書において、前記「長方形」とは、その一形態として「正方形」である場合を含むものである。
【００２０】
図５は、前記ノートパソコンWの第２筐体３１の上面部分を取り外して、その内部構造を示す平面図である。この図に示すように、第２筐体３１の内部には、それぞれ所要の電子回路（不図示）を実装した種々の回路基板が内蔵されている。図５中に示されている回路基板４０，５０もその一部である。このうち、回路基板４０については、所要の電子回路を基板上にパターニングして構成されたプリント回路基板、より好ましくは、基板自体の柔軟性が高い所謂フレキシブル・プリント回路基板（ＦＰＣ基板）として構成されている。
尚、前記ノートパソコンＷは、例えば、充電式のバッテリ（電池）からの給電によって駆動することができるものであり、図５に示されるように、ノートパソコンＷの後側底部には、充電式の電池をユニット化した電池パック（不図示）を着脱可能に装着するための電池パック装着部６０が設けられている。
【００２１】
図６及び図７は、前記プリント回路基板４０を拡大して示す平面図および斜視図であり、また、図８は、前記プリント回路基板４０の固定部を更に拡大して示す平面図である。
これらの図に示すように、プリント回路基板４０は、所要の電子回路（不図示）がプリントされた基板本体部４１と、該基板本体部４１から側方へ一体的に張り出して形成された複数（本実施形態では２つ）の張り出し部４２，４３とを備えている。
【００２２】
より具体的に説明すれば、前記基板本体部４１は、プリントされた電子回路（不図示）の全体形状に応じて、所定幅を有すると共に一定方向（図５から図７における左右方向）に伸長するように形成されている。前記２つの張り出し部４２，４３は、基板本体部４１の伸長方向に沿って所定距離を隔て、且つ、基板本体部４１を挟んで、互いに逆方向へ垂直に突出するように張り出している。そして、各張り出し部４２，４３に、第２筐体３１の底部内面３１ｍに立設された円柱状のピン部材３５とそれぞれ係合することによって、プリント回路基板４０を第２筐体３１の底部内面３１ｍに位置決めし固定する位置決め固定部４５が設けられている。
【００２３】
このように、基板本体部４１の伸長方向に沿って所定距離を隔て、且つ、基板本体部４１を挟んで、互いに逆方向へ垂直に突出するように張り出す２つの張り出し部４２，４３に、プリント回路基板４０を第２筐体３１の底部内面３１ｍに位置決めし固定する位置決め固定部４５をそれぞれ設けたことにより、簡単な構成で、長尺のプリント回路基板４０を第２筐体３１の底部内面３１ｍに対して、確実で安定した位置決め及び固定を行うことができる。
【００２４】
尚、上述の説明では、張り出し部４２，４３は何れも基板本体部４１の伸長方向に対して垂直に突出するように張り出していたが、この代わりに、何れか一方または両方の張り出し部について、斜めに突出するように張り出してもよく、更には、基板本体部４１の伸長方向と平行に延びるように、基板本体部４１の側方に張り出してもよい。
【００２５】
本実施形態では、一方の張り出し部４２を例にとって図８に拡大して示されるように、前記位置決め固定部４５は、第２筐体３１の底部内面３１ｍに立設された前記円柱状のピン部材３５とそれぞれ係合し得る複数（本実施形態では３つ）の円形貫通孔４６Ａ，４６Ｂ，４６Ｃが括れ部Ｈ１，Ｈ２を介して連接されて成る連接孔部４５として構成されている。この連接孔部４５（位置決め固定部）は、張り出し部４２の張り出し方向と同じ方向に延設されている。尚、他方の張り出し部４３についても、同様の連接孔部４５（位置決め固定部）が設けられている。
【００２６】
プリント回路基板４０を第２筐体３１の底部内面３１ｍに対して位置決めし固定する際には、３つの円形貫通孔４６Ａ，４６Ｂ，４６Ｃのうち最適のものを選択してピン部材３５に係合させることで、無理の少ない最適の位置決めを行うことができる。
前記円柱状のピン部材３５は、より好ましくは、先細のテーパ状に形成されており、円形貫通孔４６Ａ，４６Ｂ，４６Ｃ内に容易に挿通できるようになっている。
【００２７】
このように３つの円形貫通孔４６Ａ，４６Ｂ，４６Ｃの何れか（例えば中央の貫通孔４６Ｂ）をピン部材３５に係合させて、プリント回路基板４０を第２筐体３１の底部内面３１ｍに対する位置決めを行った後、引き続いてピン部材３５を当該円形貫通孔４６Ｂに押し込んで嵌合させることにより、連接孔部（位置決め固定部）４５がピン部材３５に固定される。
【００２８】
本実施形態では、前記連接孔部４５の各円形貫通孔４６Ａ，４６Ｂ，４６Ｃの内径は、ピン部材３５の外径（より好ましくは、ピン部材３５の先細テーパの基端部分の外径）よりも所定量だけ小さく設定されている。本実施形態では、例えば、ピン部材３５の基端部分の外径が約２．２ｍｍであるのに対して、各円形貫通孔４６Ａ，４６Ｂ，４６Ｃの内径は約１．８ｍｍ程度に設定した。
【００２９】
このように設定したので、ピン部材３５を当該円形貫通孔４６Ｂに押し込んで嵌合させることにより、連接孔部（位置決め固定部）４５がピン部材３５に所定量の締め代をもって固定される。
すなわち、プリント回路基板４０が第２筐体３１の底部内面３１ｍの所定箇所への位置決めと固定とを一連の作業として行うことができ、従来に比してプリント回路基板４０の固定作業を大幅に簡略化することができる。
【００３０】
尚、張り出し部４２，４３に複数の円形貫通孔４６Ａ，４６Ｂ，４６Ｃで構成される位置決め固定部４５を形成するに際して、独立した貫通孔を複数設けるのではなく、複数の円形貫通孔４６Ａ，４６Ｂ，４６Ｃが括れ部Ｈ１，Ｈ２を介して連接されて成る連接孔部としたことにより、同径で同じ孔数でも、取付位置の調整幅をより小さくして、よりきめ細かな調整が可能になる。しかも、同径で同じ孔数でも、位置決め固定部４５をコンパクトに構成することができ、また、円形貫通孔４６Ａ，４６Ｂ，４６Ｃの内径よりも大径のピン部材３５と係合し圧入する際の位置決め固定部４５の柔軟性を増すこともできる。
【００３１】
以上、説明したように、本実施形態によれば、プリント回路基板４０の張り出し部４２，４３には、ノートパソコンＷの第２筐体３１の底部内面３１ｍに立設された円柱状のピン部材３５と係合し得る複数の円形貫通孔４６Ａ，４６Ｂ，４６Ｃが括れ部Ｈ１，Ｈ２を介して連接されて成る連接孔部４５が設けられているので、この連接孔部４５の範囲内で（つまり、連接孔部４５の複数の円形貫通孔４６Ａ，４６Ｂ，４６Ｃの何れかを選択できる範囲内で）、プリント回路基板４０の第２筐体３１の底部内面３１ｍへの取付位置を調整することができる。すなわち、プリント回路基板４０の第２筐体３１の底部内面３１ｍの所定箇所への取付位置に或る程度の自由度を持たせることができ、プリント回路基板４０の取付位置が若干異なる場合でも、プリント回路基板４０の共通化を図ることが可能になる。その結果、プリント基板４０の製造コストの上昇を抑え、部品管理の煩雑化を抑制する上で、非常に有利となる。また、プリント回路基板４０の取付位置に若干の製造誤差（ズレ）が生じた場合でも、かかる誤差（ズレ）を吸収して当該プリント基板４０をそのまま用いることも可能になり、不良発生扱いによる製造コストの上昇を抑制する上で、非常に有利となる。
【００３２】
しかも、本実施形態によれば、前記連接孔部４５の各円形貫通孔４６Ａ，４６Ｂ，４６Ｃの内径は、ピン部材３５の外径（より好ましくは、ピン部材３５の先細テーパの基端部分の外径）よりも所定量だけ小さく設定されているので、ピン部材３５を前記連接孔部４５の円形貫通孔４６Ａ，４６Ｂ，４６Ｃの何れかに係合させて位置決めを行った後、引き続いてピン部材３５を当該円形貫通孔に押し込んで嵌合させることにより、所定量の締め代をもって連接孔部４５がピン部材３５に固定される。すなわち、プリント回路基板４０の第２筐体３１の底部内面３１ｍの所定箇所への位置決めと固定とを一連の作業として行うことができ、従来に比してプリント回路基板４０の固定作業を大幅に簡略化することができるのである。
【００３３】
尚、以上の説明は、括れ部を介して連接する複数の円形貫通孔４６Ａ，４６Ｂ，４６Ｃと円柱状のピン部材３５とを用いた場合についてのものであったが、本発明はかかる場合に限定されるものではなく、括れ部を介して連接する複数の他の形状（例えば菱形など）の貫通孔と、これに対応した断面形状を有する柱状のピン部材とを用いることもできる。
【００３４】
また、以上の説明では、張り出し部４２，４３は、基板本体部４１の両側にて、当該基板本体部４１の伸長方向に対し垂直に突出するように張り出していたが、この代わりに、基板本体部の伸長方向に対して、例えば４５°の角度で斜めに突出するように張り出すことで、基板本体部の延在方向および直交方向についての調整を行うことも可能になる。
【００３５】
更に、以上の説明は、ノートパソコンに組み込まれるプリント回路基板を例にとったものであったが、本発明はかかる場合に限定されるものではなく、他の種々の製品に組み込まれるプリント回路基板おいても、有効に適用することができる。
【００３６】
このように、本発明は、上述の実施形態や変形例に限定されるものではなく、その要旨を逸脱しない範囲において、種々の変更や設計上の改良等を行い得るものであることは、言うまでもない。
【産業上の利用可能性】
【００３７】
本発明は、例えばノートパソコン等の電子装置類などに組み込まれるプリント回路基板として、有効に利用することができる。
【符号の説明】
【００３８】
３１  第２筐体
３１ｍ  第２筐体の底部内面
４０  プリント回路基板
４１  基板本体部
４２，４３  張り出し部
４５  連接孔部（位置決め固定部）
４６Ａ，４６Ｂ，４６Ｃ  円形貫通孔
Ｈ１，Ｈ２  括れ部
Ｗ  ノートパソコン
【図１】
2011082321.tif 000003
【図２】
2011082321.tif 000004
【図３】
2011082321.tif 000005
【図４】
2011082321.tif 000006
【図５】
2011082321.tif 000007
【図６】
2011082321.tif 000008
【図７】
2011082321.tif 000009
【図８】
2011082321.tif 000010